(57)【特許請求の範囲】
【請求項１】
背面側に形成された吸込口及び前面側に形成された吹出口を有するユニットケースを備え、このユニットケースの内部に、圧縮機と、室外熱交換器と、送風機とを収納する空気調和装置の室外ユニットにおいて、
前記室外熱交換器を前記吸込口と前記吹出口との間に前後に傾斜して配置するとともに、前記ユニットケースの底面から前記室外熱交換器まで延び、当該ユニットケース内を室外熱交換器の一次側空間と二次側空間とに区分けする仕切板を備え、
この仕切板の側方であって前記一次側空間と連通される空間に前記圧縮機を配置したことを特徴とする空気調和装置の室外ユニット。
【請求項２】
前記室外熱交換器は前記ユニットケースの後方に向けて下り傾斜に配置され、前記圧縮機は、当該ユニットケースの後方に配置されたことを特徴とする請求項１に記載の空気調和装置の室外ユニット。
【請求項３】
前記室外熱交換器は、前記圧縮機を含む冷媒回路構成部品の高さ寸法と略同一の高さとなるように傾斜されていることを特徴とする請求項１または２に記載の空気調和装置の室外ユニット。
【請求項４】
前記室外熱交換器は、前記ユニットケースの一側面側に寄せて配置され、このユニットケースの他側面には、前記圧縮機をメンテナンスするための開口と、この開口を塞ぐパネル体とが設けられていることを特徴とする請求項１乃至３のいずれかに記載の空気調和装置の室外ユニット。
【請求項５】
前記圧縮機及び前記室外熱交換器の下方には、前記ユニットケースの底面略全域を形成する単一のドレンパンが配置されていることを特徴とする請求項１乃至４のいずれかに記載の空気調和装置の室外ユニット。
【請求項６】
前記仕切板には、電装部品を収納した電装箱の一部が側面視で前記開口内に露出するように取り付けられていることを特徴とする請求項４または５に記載の空気調和装置の室外ユニット。
【発明の詳細な説明】
【技術分野】
【０００１】
本発明は、建物の軒に天吊して据え付けられるユニットケースを備えた空気調和装置の室外ユニットに関する。
【背景技術】
【０００２】
従来、室外ユニットを設置することができる屋外スペースが限られている場合などに、建物の軒に天吊して据え付けることができる室外ユニットを備えた空気調和装置が知られている。この種の空気調和装置では、ケーシングの内部を室外熱交換器が配置される熱交換室と圧縮機が配置される機械室とに左右に区分けする仕切板を設け、この熱交換室内をケーシングの背面側から前面側に空気を流すように構成されている（例えば、特許文献１参照）。
【先行技術文献】
【特許文献】
【０００３】
【特許文献１】特開平０６−２８８５８３号公報
【発明の概要】
【発明が解決しようとする課題】
【０００４】
しかし、従来の室外ユニットでは、機械室は仕切板で空気の流通経路となる熱交換室から仕切られることにより、この機械室内の冷却を十分に行うことが難しいという問題があった。更に、従来のものでは、室外熱交換器はケーシングの底板に立設されているため、室外ユニットの高さ寸法が大きくなる傾向にあり、このような室外ユニットを天井面から吊り下げて据え付けた場合、頭上空間が狭くなるという問題がある。
本発明は、上述した事情に鑑みてなされたものであり、圧縮機を十分に冷却するとともに、高さ寸法を小さく抑えた室外ユニットを提供することを目的とする。
【課題を解決するための手段】
【０００５】
上記目的を達成するために、本発明は、背面側に形成された吸込口及び前面側に形成された吹出口を有するユニットケースを備え、このユニットケースの内部に、圧縮機と、室外熱交換器と、送風機とを収納する空気調和装置の室外ユニットにおいて、前記室外熱交換器を前記吸込口と前記吹出口との間に前後に傾斜して配置するとともに、前記ユニットケースの底面から前記室外熱交換器まで延び、当該ユニットケース内を室外熱交換器の一次側空間と二次側空間とに区分けする仕切板を備え、この仕切板の側方であって前記一次側空間と連通される空間に前記圧縮機を配置したことを特徴とする。
【０００６】
また、本発明は、上記構成において、前記室外熱交換器は前記ユニットケースの後方に向けて下り傾斜に配置され、前記圧縮機は、当該ユニットケースの後方に配置されたことを特徴とする。また、本発明は、上記構成において、前記室外熱交換器は、前記圧縮機を含む冷媒回路構成部品の高さ寸法と略同一の高さとなるように傾斜されていることを特徴とする。
【０００７】
また、本発明は、上記構成において、前記室外熱交換器は、前記ユニットケースの一側面側に寄せて配置され、このユニットケースの他側面には、前記圧縮機をメンテナンスするための開口と、この開口を塞ぐパネル体とが設けられていることを特徴とする。また、本発明は、上記構成において、前記圧縮機及び前記室外熱交換器の下方には、前記ユニットケースの底面略全域を形成する単一のドレンパンが配置されていることを特徴とする。また、本発明は、前記仕切板には、電装部品を収納した電装箱の一部が側面視で前記開口内に露出するように取り付けられていることを特徴とする。
【発明の効果】
【０００８】
本発明によれば、室外熱交換器を吸込口と吹出口との間に前後に傾斜して配置しているため、室外ユニットの高さ寸法を小さく抑え、十分な熱交換面積を確保することができる。更に、ユニットケースの底面から室外熱交換器まで延び、当該ユニットケース内を室外熱交換器の一次側空間と二次側空間とに区分けする仕切板を備え、この仕切板の側方であって一次側空間と連通される空間に圧縮機を配置したため、吸込口を通じてユニットケース内に吸い込まれた空気の一部が当該空間を経て室外熱交換器に流れることにより、圧縮機を十分に冷却することができる。
【図面の簡単な説明】
【０００９】
【図１】本実施形態の空気調和装置の設置状態を示す図である。
【図２】室外ユニットの側面断面図である。
【図３】室外ユニットの正面図である。
【図４】室外ユニットの背面図である。
【図５】室外ユニットの内部構造を示す上面図である。
【図６】室外熱交換器の配置構造を示す斜視図である。
【図７】メンテナンスパネルを開放した状態の室外ユニットの側面である。
【発明を実施するための形態】
【００１０】
以下、図面を参照して本発明の実施形態について説明する。なお、以下に述べる上下及び左右といった方向は、室外ユニット１０を設置した状態でその前面側から見た場合の方向を示している。
【００１１】
図１は、本発明を適用した実施形態に係る空気調和装置１の設置状態を示す図である。図１に示すように、空気調和装置１は、被調和室２の天井２Ａに吊り下げて据え付けられる室内ユニット３と、上階のベランダ又はバルコニーの天井面（軒）４に吊り下げて据え付けられる室外ユニット１０とを備えている。室内ユニット３と室外ユニット１０とは、被調和室２と屋外とを仕切る外壁５を介してユニット間配管（冷媒配管）７で接続され、好ましくは、背面同士が向き合うように設置されている。これによって、室内ユニット３と室外ユニット１０間の配管接続作業効率を向上するとともにユニット間配管７の長さを短くすることができる。
【００１２】
空気調和装置１は、例えば学校や病院等に取り付けられ、室外ユニット１０は、上階のベランダ又はバルコニーの天井面４に吊り下げて据え付けられるユニットケース１１を備える。室外ユニット１０は、天吊りされて備えられるため、屋外通路として利用するベランダ又はバルコニー等に避難通路を確保することができる。また、ベランダ又はバルコニーの天井面４には、天井面４から所定量以上下方に突出した垂れ壁（防煙壁）６が設けられている。
室外ユニット１０のユニットケース１１は、垂れ壁６に対向する前面パネル（前面部）１６が当該ユニットケース１１の後方に向けて斜め下向きに設けられ、前面パネル１６には、後述する空気の吹出口２６が備えられる。
本実施形態では、吹出口２６の上端部４１は、垂れ壁６の下端４３よりも上に設けられ、吹出口２６の下端部４２は、垂れ壁６の下端４３よりも下に設けられている。
【００１３】
図２は、室外ユニット１０の側面断面図である。図２に示すように、ユニットケース１１は、ユニットケース１１の底部全域を形成するドレンパン１３と、ドレンパン１３の前後方向の長さよりも長く形成された天面パネル１２と、ドレンパン１３の前端部から天面パネル１２の前端部に向かって設けられた前面パネル１６とを備える。ユニットケース１１の奥行き方向の寸法は、高さ方向の寸法よりも大きく形成されている。ドレンパン１３は、トレー状に形成され、底部１１３と、底部１１３の周縁部を立ち上げて形成した角部１１４を備える。
前面パネル１６は、本実施形態においては、ドレンパン１３に対する傾斜角度θ１が略５０度下向きになるように設けられ、この前面パネル１６上には空気の吹出口２６が形成されている。吹出口２６に対向する位置には、送風機２２が吹出口２６に隣接配置されて備えられる。また、吹出口２６には、吹出グリル２６ａと、送風機２２の周りにベルマウス２２ｃとが設けられている。送風機２２は、プロペラファン２２ａと、ファンモーター２２ｂから構成され、ファンモーター２２ｂによりプロペラファン２２ａが回転駆動されると、図中に矢印Ｘで示されるように、ユニットケース１１の背面側に形成された吸込口１７（後述する）と通じて空気を吸い込み、吹出口２６から空気を吹き出す。
天面パネル１２の前端部は、斜め下向きに配置された前面パネルの上端部と略垂直に交わるように折り曲げられて、前面上部１２ａを形成している。前面上部１２ａを前面パネル１６の上端部と略垂直に交わる構成としたため、天面パネル１２と前面パネル１６の接合部に空気の吹き溜まりができるのを防止することができ、ユニットケース１１内の空気を送風機２２で効率よく排出することができる。
【００１４】
送風機２２の後方には、上記した吸込口１７と吹出口２６との間に室外熱交換器２１を傾斜させて配置されている。本実施形態においては、室外熱交換器２１は、ユニットケース１１の後方に向けて下り傾斜に配置され、吹出口２６が形成されたユニットケース１１の前面パネルと略平行に設けられている。
室外熱交換器２１の上端部には、室外熱交換器２１をユニットケース１１に固定する固定金具２８が取り付けられている。室外熱交換器２１の下端部は、ドレンパン１３の後方の角部１１４と当該ドレンパン１３の底部１１３とにそれぞれ当接して固定されている。室外熱交換器２１は、斜めに配置することで、ユニットケース１１の高さ方向の寸法を抑えることができると共に、ユニットケース１１内のスペースを有効に利用して室外熱交換器２１の熱交換面積を広げることができる。
【００１５】
また、室外熱交換器２１は、室外熱交換器２１の鉛直方向への投影面積が、ドレンパン１３内に収まるように配置されている。これによって、斜めに傾斜して配置された室外熱交換器２１の表面で凝縮し、重力によって鉛直下方に落ちた水分を、ドレンパン１３で確実に収集することができる。
また、室外熱交換器２１は、その表面に露などが付き、フィンの間の風路が塞がれた状態となると、空調効率が下がるが、本実施形態においては、室外熱交換器２１を斜めに傾けて配置しているため、室外熱交換器２１の表面に付いた水分は重力によって効率よくドレンパン１３の上に落ちる。そのため、空調効率の低下を防止することができる。また、室外熱交換器２１を斜めに配置しているため、冬季に室外ユニット１０の除霜運転を行う場合にも、室外熱交換器２１に付着した霜を、重力によって鉛直下方に効率良くドレンパン１３の上に落とすことができるため、室外ユニット１０の除霜運転効率を向上させることができる。また、送風機２２は、室外熱交換器２１から落ちる露水がかからないよう、室外熱交換器２１とはオーバーラップしない位置に備えられている。
この構成によれば、室外熱交換器２１からの水滴をドレンパン１３で受け止めることができるため、ドレン水が室外ユニット１０から垂れ落ちることがない。そのため、室外ユニット１０を天吊して設置しても、ドレン水がベランダやバルコニーにたれ落ちるのを防止することができる。
【００１６】
ファンモーター２２ｂによりプロペラファン２２ａが回転駆動されると、図中に矢印Ｘで示されるように、ユニットケース１１の背面側の吸込口１７から外気が吸込まれ、室外熱交換器２１内を流れる冷媒と熱交換し、送風機２２によって吹出口２６からユニットケース１１の外に排出される。吹出口２６から排出される熱交換後の空気は、送風機２２の軸方向に沿って流れ、斜め下向きに設けられた前面パネル１６に対して略垂直に排出される。本実施形態において、前面パネル１６は略５０度の下向きに配置されているため、吹出口２６から吹出される空気は、水平方向に対する傾斜角度θ２が略４０度下向きに吹出される。そのため、図１に示すように、軒先に垂れ壁６がある場合においても、吹出口２６から吹出される空気が垂れ壁６によって遮られることなく、屋外に排出される。これによって、垂れ壁６によるショートサーキット現象の発生を防止し、空調効率の低下を防ぐことができる。
【００１７】
一定の高さ寸法を有するユニットケース１１において、傾斜角度θ１は、傾斜が緩ければそれだけ室外熱交換器２１の熱交換面積を広くすることができるが、ユニットケース１１の奥行き方向の寸法が大きくなり、さらに送風機２２の送風能力も低下する。また、傾斜角度θ１は、傾斜がきつければそれだけユニットケース１１の奥行き寸法を小さくすることができるが、室外熱交換器２１の熱交換面積が小さくなる。そのため、検証実験等から、最適な傾斜角度θ１は略５０度下向きであると判断された。
【００１８】
図３は、ユニットケース１１の天面パネル１２を取り外した状態の室外ユニット１０の正面図である。図３に示すように、ユニットケース１１は、横長平箱形状に形成され、前面パネル１６には、横に並べて二つの吹出口２６，２６が形成されている。吹出口２６，２６は、前面パネル１６の上下方向の略全域にわたって形成されている。吹出口２６には、略四角形に形成された吹出グリル２６ａが設けられ、吹出グリル２６ａは、前面パネル１６と略直角に、互いに平行に設けられた複数の羽板２６ｄを備える。また、吹出グリル２６ａは、吹出口２６からプロペラファン２２ａに直接手などで触れることができないよう、安全カバーとしての役割を果たしている。吹出グリル２６ａは、例えば格子状のグリルで形成されていても良い。
【００１９】
ユニットケース１１の左右の側面には、一対の側面パネル１４，１５が設けられ、側面パネル１４，１５の上部には、空気調和装置１を天井面４に吊り下げるための、天吊金具３１が取り付けられている。本実施形態では、室外熱交換器２１の上端部は、固定金具２８を介して天面パネル１２の奥行き方向の略中央位置に固定される。このため、ユニットケース１１内には、前後にスペースを設けることができ、このスペースに該当する位置（すなわち、側面パネル１４，１５の前側上部、及び側面パネル１４，１５の後側上部）にそれぞれ天吊金具３１が設けられている。天吊金具３１は、略Ｌ字型に形成され、側面パネル１４，１５にねじ等で螺合されて固定されている。この天吊金具３１を介して、ユニットケース１１を天井面４にボルト止めすることにより、ユニットケース１１をベランダ等の天井面４にほぼぴったりと吊り下げることができ、天井空間を十分に確保することができる。また、天吊金具３１は、天井面４から吊り下げられる、例えば吊ボルト（不図示）に固定する構成としても良い。
また、ドレンパン１３には、ドレンパン１３の左右どちら側からでもドレン液（水）を排出できるように、２つのドレン排出口１３ａ，１３ａが形成されている。
【００２０】
ユニットケース１１の背面には、図４に示すように、背面に形成された吸込口１７の全域を覆うリヤフィンガード１９が設けられている。リヤフィンガード１９は、網目状のガード部材であり、室外熱交換器２１のフィン部分と人体等との直接の接触を防止する目的で設けられている。また、図示は省略したが、室外ユニット１０から室内ユニット３に接続されるユニット間配管７は、このリヤフィンガード１９を介して引き出されている。さらに、ユニットケース１１の側面に設けられた側面パネル１５には、ユニットケース１１内に収納された圧縮機２３、電装箱２５等のメンテナンスを行うため、開口部（開口）１５ａが設けられ、該開口部１５ａには開閉自在或いは着脱自在に取り付けられたメンテナンスパネル（パネル）１５ｂが備えられている。
【００２１】
図５は、室外ユニット１０の上面図であり、室外ユニット１０の内部構造を示すために、ユニットケース１１の上面に取り付けられる天面パネル１２を取り外した状態の図である。また、図６は、室外熱交換器２１の配置構造を示す斜視図である。
ユニットケース１１の内部には、図６に示すように、このユニットケース１１の一方の側面パネル（一側面）１４側に寄せて室外熱交換器２１が配置されている。この室外熱交換器２１は、図示は省略したが、冷媒が流れるチューブの周りに、伝熱板である薄板状のフィンが配置されたフィン・アンド・チューブ型の熱交換器であり、後方に向かって下り傾斜に配置されている。室外熱交換器２１の一方の側面パネル１４側の管板（不図示）には、チューブカバー２１ｃが取り付けられ、チューブカバー２１ｃは、側面パネル１４に当接するように備えられ、例えば側面パネル１４にチューブカバー２１ｃを螺子等で固定し取り付ける構成としても良い。
また、室外熱交換器２１の他方の側面パネル１５（図４）側の管板２１ａには、ドレンパン１３に立設した仕切板１８が固定されている。具体的には、仕切板１８は、図６に示すように、略平行四辺形に形成され、その底辺部１８Ａはドレンパン１３に、底辺部１８Ａと対向する上片部１８Ｂが天面パネル１２（図２）にねじ止めされている。また、残りの二つの辺のうち後方側辺部１８Ｃは室外熱交換器２１の管板２１ａにねじ止めされ、さらに、前方側辺部１８Ｄは前面パネル１６（図２）ねじ止めされている。また、室外熱交換器２１の上端部に取り付けられた上記固定金具２８は、側面パネル１４と仕切板１８の上部に架け渡されて固定される。
本構成では、ユニットケース１１内は、図２に示すように、仕切板１８により吸込口１７に連通する室外熱交換器２１の一次側空間６０と、吹出口２６に連通する室外熱交換器２１の二次側空間６１とに区分けされるとともに、図６に示すように、当該仕切板１８と他方の側面パネル１５との間に形成される空間６２と上記一次側空間６０とが連通される構成となる。
【００２２】
この空間６２は、機械室として形成され、図５に示すように、圧縮機２３、アキュムレータ２４や四方弁７０等を含む冷媒回路構成部品７１が配置されている。これら冷媒回路構成部品７１は、ユニットケース１１における空間６２の後方に配置されているため、図４に示すように、ユニットケース１１の吸込口１７から当該ユニットケース１１内に流入された空気の一部が上記空間６２に流れ込み、仕切板１８の上方を通過して室外熱交換器２１の一次側空間６０に流入する。このため、空間６２に配置されている圧縮機２３を含む冷媒回路構成部品７１は、流入した空気により十分に冷却される。
【００２３】
また、本実施形態では、ユニットケース１１内に配置された室外熱交換器２１は、図３に示すように、機械室としての空間６２に配置された圧縮機２３を含む冷媒回路構成部品７１と略同等の高さとなるように配置されている。一般に、圧縮機２３やアキュムレータ２４は、使用される環境（出力馬力等）によって圧縮容器の大きさが決定されるため、ユニットケース１１の高さ寸法は、機械室に配置される冷媒回路構成部品７１の最小高さ寸法に規制されることとなる。
このため、本実施形態では、圧縮機２３を含む冷媒回路構成部品７１と略同等の高さ寸法となるように、室外熱交換器２１をユニットケース１１内に傾斜して配置している。これによれば、ユニットケース１１内に高さ方向に余分な空間を設けることなく、室外熱交換器２１を適正な傾斜角度に配置することができ、当該ユニットケース１１の高さ方向の寸法を抑えることができる。
【００２４】
ドレンパン１３は、側面パネル１４，１５に螺子等で螺合されて備えられている。室外熱交換器２１、圧縮機２３及びアキュムレータ２４は、単一のドレンパン１３に立設して備えられ、機械室としての空間６２の後方側に配置されている。この構成によれば、圧縮機２３はドレンパン１３上に配置されているため、圧縮機２３に着いた霜は、ドレンパン１３の上に落ちるため、ドレン液として排出することができる。更に、圧縮機２３を含む冷媒回路構成部品７１をユニットケース１１の背面側に寄せて配置したため、ユニットケース１１の背面側から配管を引き出しやすく、ユニット間配管７との接続作業性を向上することができる。
また、上記空間６２の前方側には、圧縮機２３を駆動するパワートランジスタ等の電装部品が収納された電装箱２５が、仕切板１８に固定されて取付けられている。電装箱２５には、上記電装部品に接触し、図５中に破線で示した放熱板２９が備えられ、放熱板２９は、仕切板１８に設けられた不図示の貫通孔を介して、室外熱交換器２１の二次側空間６１（図２）に延在している。これによって、室外熱交換器２１により熱交換された二次側空気が電装箱２５の放熱板２９に導かれ、電装箱２５内に備えられた電装部品からの発熱を、効率よく放熱することができる。更に、上述のように、この空間６２には、ユニットケース１１の吸込口１７から当該ユニットケース１１内に流入された空気の一部が流れ込み、当該空間６２を介して、室外熱交換器２１の一次側空間６０に流入する。このため、空間６２に配置されている電装箱２５の表面を空気が流れることにより、電装箱２５の冷却も図ることが可能である。
【００２５】
上述のように、他方の側面パネル１５には、メンテナンス用の開口部１５ａと、この開口部１５ａを塞ぐメンテナンスパネル１５ｂが設けられている。このメンテナンスパネル１５ｂを開放すると、図７に示すように、側面視で開口部１５ａの後方側に冷媒回路構成部品７１が設けられ、前方側に電装箱２５の一部が露出するように配置されている。この構成によれば、メンテナンスパネル１５ｂを開くだけで、機械室としての空間６２に配置されている各機器が露出するため、これら各機器のメンテナンスを容易に行うことができる。
【００２６】
以上説明したように、本実施形態によれば、先端に垂れ壁６を有する、上階のベランダやバルコニーの天井面４に天吊される室外ユニット１０の吹出口２６が、斜め下向きに備えられたユニットケース１１の前面パネル１６に設けられているため、吹出口２６から排出される熱交換後の空気は、前面パネル１６に垂直に斜め下向きに吹き出される。そのため、ユニットケース１１から排出される空気が、垂れ壁６によって遮られることがないため、室外ユニット１０に、ショートサーキット現象が発生するのを防止することができる。
【００２７】
また、本実施形態によれば、背面側に形成された吸込口１７及び前面側に形成された吹出口２６を有するユニットケース１１を備え、このユニットケース１１の内部に、圧縮機２３と、室外熱交換器２１と、送風機２２とを収納する空気調和装置１の室外ユニット１０において、室外熱交換器２１を吸込口１７と吹出口２６との間に前後に傾斜して配置したため、室外ユニット１０の高さ寸法を小さく抑え、十分な熱交換面積を確保することができる。更に、ユニットケース１１の底面から室外熱交換器２１の管板２１ａまで延び、当該ユニットケース１１内を室外熱交換器２１の一次側空間６０と二次側空間６１とに区分けする仕切板１８を備え、この仕切板１８の側方であって一次側空間６０と連通される空間６２に圧縮機２３並びにこれを駆動させる電装部品（パワートランジスタ等）を収納する電装箱２５を配置したため、吸込口１７を通じてユニットケース１１内に吸い込まれた空気の一部が当該空間６２を経て室外熱交換器２１に流れることにより、圧縮機２３及び電装箱２５を十分に冷却することができる。
【００２８】
また、本実施形態によれば、室外熱交換器２１はユニットケース１１の後方に向けて下り傾斜に配置され、圧縮機２３は、当該ユニットケース１１の後方に配置されているため、この後方では仕切板の高さが低くなっているため、上記空間６２から一次側空間６０への空気の流通が十分に行われ、圧縮機２３の冷却が図られる。更に、圧縮機２３がユニットケース１１の後方に配置されているため、吸込口１７を通じてユニット間配管７の接続作業を容易に行うことができる。
【００２９】
また、本実施形態によれば、室外熱交換器２１は、圧縮機２３を含む冷媒回路構成部品７１の高さ寸法と略同一の高さとなるように傾斜して配置されているため、ユニットケース１１内に高さ方向に余分な空間を設けることなく、室外熱交換器２１を適正な傾斜角度に配置することができ、当該ユニットケース１１の高さ方向の寸法を抑えることができる。
【００３０】
また、本実施形態によれば、室外熱交換器２１は、ユニットケース１１の一方の側面パネル１４側に寄せて配置され、このユニットケース１１の他方の側面パネル１５には、圧縮機２３をメンテナンスするための開口部１５ａと、この開口部１５ａを塞ぐメンテナンスパネル１５ｂとが設けられているため、このユニットケース１１を天井面４から吊り下げた状態であっても容易に内部の機器のメンテナンスを行うことができる。
【００３１】
また、本実施形態によれば、圧縮機２３及び室外熱交換器２１の下方には、ユニットケース１１の底面略全域を形成する単一のドレンパン１３が配置されているため、室外熱交換器２１から流下されるドレン水は勿論、圧縮機２３から滴下されるドレン水をもドレンパン１３にて受けることにより、ドレン水が室外ユニット１０から垂れ落ちることがなく、室外ユニット１０を天吊して設置しても、ドレン水がベランダやバルコニーにたれ落ちるのを防止することができる。
【００３２】
また、本実施形態によれば、仕切板１８には、電装部品を収納した電装箱２５の一部が側面視で開口部１５ａ内に露出するように取り付けられているため、メンテナンスパネル１５ｂを開くだけで、電装箱２５が露出するため、この電装箱２５のメンテナンスを容易に行うことができる。
【００３３】
以上、実施形態に基づいて本発明を説明したが、本発明はこれに限定されるものではない。本実施形態では、圧縮機２３等が収納される機械室としての空間６２がユニットケースの右側に配置される構成としたが、これに限らず、この空間６２と室外熱交換器２１が配置される領域とが左右逆に配置される構成としてもよい。
また、本実施形態では、ユニットケース１１は、上階のベランダ又はバルコニーの天井面に吊り下げられて据え付けられる構成としたが、これに限らず、軒下に吊り下げられて据え付けられる構成としても良い。
【符号の説明】
【００３４】
１  空気調和装置
３  室内ユニット
４  天井面（軒）
６  垂れ壁
１０    室外ユニット
１１    ユニットケース
１２    天面パネル
１３    ドレンパン（底面）
１４，１５  側面パネル（側面）
１５ａ  開口部（開口）
１５ｂ  メンテナンスパネル（パネル）
１６    前面パネル
１７    吸込口
１８    仕切板
１８Ｃ  後方側辺部
２１    室外熱交換器
２１ａ  管板
２２    送風機
２３    圧縮機
２４    アキュムレータ
２５    電装箱
２６    吹出口
２９    放熱板
３１    天吊金具
６０    一次側空間
６１    二次側空間
６２    空間（機械室）
７０    四方弁
７１    冷媒回路構成部品
【図１】
0005461326.tif 000002
【図２】
0005461326.tif 000003
【図３】
0005461326.tif 000004
【図４】
0005461326.tif 000005
【図５】
0005461326.tif 000006
【図６】
0005461326.tif 000007
【図７】
0005461326.tif 000008